(57)【要約】【課題】この発明は、デジタル放送の受信時に、チャンネルが切り替えられてから映像や音声等が得られるまでの時間を、十分に実用的なレベルにまで短縮することができ、ユーザにとっての取り扱いを便利にし得るようにした放送受信装置及び放送受信方法を提供することを目的としている。【解決手段】デジタル放送用チューナ（２７）に対するチャンネル切替時に、切り替えられたチャンネルが複数のワンセグ放送用チューナ（２２１〜２２Ｎ）のいずれかで選局されている場合、切り替えられたチャンネルの放送信号を選局しているワンセグ放送用チューナ（２２１〜２２Ｎ）の出力に復調及びデコード処理を施しているワンセグデータ処理部（２３１〜２３Ｎ）の出力を選択し、デジタルデータ処理部（２８）によるデジタル放送用チューナ（２７）で選局された放送信号に対する復調及びデコード処理が終了したとき、デジタルデータ処理部（２８）の出力を選択して出力するように切り替える。【選択図】    図２
2009016933.tif 000002
【特許請求の範囲】
【請求項１】
受信した１セグメント放送から、予め設定されたチューナ設定リストに基づいて、それぞれが所定のチャンネルの放送信号を選局する複数の第１のチューナと、
前記複数の第１のチューナにそれぞれ対応して設けられ、前記第１のチューナが選局した放送信号に復調及びデコード処理を施す複数の第１の処理手段と、
受信した複数セグメントを用いるデジタル放送から、選局操作に基づいて設定された所定のチャンネルの放送信号を選局する第２のチューナと、
前記第２のチューナが選局した放送信号に復調及びデコード処理を施す第２の処理手段と、
前記複数の第１の処理手段及び前記第２の処理手段からそれぞれ出力される放送データを選択的に出力する切替手段と、
前記選局操作によって前記第２のチューナに選局させるチャンネルが切り替えられたとき、その切り替えられたチャンネルの放送信号が前記複数の第１のチューナのいずれかによって選局されているか否かを判別する判別手段と、
前記判別手段で選局されていると判断されたとき、前記切り替えられたチャンネルの放送信号を選局している前記第１のチューナの出力に復調及びデコード処理を施している前記第１の処理手段の出力が選択されるように前記切替手段を制御し、前記第２の処理手段による前記第２のチューナで選局された放送信号に対する復調及びデコード処理が終了したとき、前記第２の処理手段の出力が選択されるように前記切替手段を制御する制御手段とを具備することを特徴とする放送受信装置。
【請求項２】
前記第２のチューナで選局された放送信号を、前記第２の処理手段から出力される放送データが、前記第１の処理手段から出力される放送データに同期するように遅延させる遅延手段を具備することを特徴とする請求項１記載の放送受信装置。
【請求項３】
視聴履歴情報を蓄積する蓄積手段と、
前記蓄積手段に蓄積された視聴履歴情報に基づいて、次に切り替えられる可能性の高いチャンネルを予測し、その予測したチャンネルが選局されるように前記チューナ設定リストを更新する更新手段を具備することを特徴とする請求項１記載の放送受信装置。
【請求項４】
前記更新手段は、予測したチャンネルのうち、次に切り替えられる可能性の高いチャンネル順に優先度を設定し、優先度の高いチャンネルから選局されるように前記チューナ設定リストを更新することを特徴とする請求項３記載の放送受信装置。
【請求項５】
前記更新手段は、表示された番組表画面から切り替えるチャンネルを選択する選局操作が行なわれたとき、前記番組表画面上で、選局されたチャンネルに隣接して表示されているチャンネルの優先度を最も高くし、選局されたチャンネルから表示位置が離れるチャンネルほど優先度が低くなるように前記チューナ設定リストを更新することを特徴とする請求項４記載の放送受信装置。
【請求項６】
前記更新手段は、チャンネルアップダウンキーによる選局操作が行なわれたとき、前記チャンネルアップダウンキーで選局されるチャンネルの並び順に対して、選局されたチャンネルの直前または直後後に存在するチャンネルの優先度を高くし、選局されたチャンネルから離れるチャンネルほど優先度が低くなるように前記チューナ設定リストを更新することを特徴とする請求項４記載の放送受信装置。
【請求項７】
前記更新手段は、前記チャンネルアップダウンキーによる選局操作が行なわれたとき、チャンネルの切り替えられていく方向と逆方向に存在するチャンネルを前記チューナ設定リストから削除し、チャンネルの切り替えられていく方向に存在するチャンネルを前記チューナ設定リストに追加するように前記チューナ設定リストを更新することを特徴とする請求項６記載の放送受信装置。
【請求項８】
前記更新手段は、キーワードまたはジャンルを指定しての選局操作が行なわれたとき、指定されたキーワードまたはジャンルに対応するチャンネルの中から、切り替えられる可能性の高いチャンネル順に優先度を設定し、優先度の高いチャンネルから選局されるように前記チューナ設定リストを更新することを特徴とする請求項３記載の放送受信装置。
【請求項９】
前記チューナ設定リストに基づいて前記複数の第１のチューナが選局しているチャンネルを表示する表示手段を具備することを特徴とする請求項１記載の放送受信装置。
【請求項１０】
複数の第１のチューナが、予め設定されたチューナ設定リストに基づいて、受信した１セグメント放送からそれぞれ所定のチャンネルの放送信号を選局する第１の工程と、
前記複数の第１のチューナにそれぞれ対応して設けられた第１の処理手段が、前記第１のチューナが選局した放送信号に復調及びデコード処理を施す第２の工程と、
第２のチューナが、受信した複数セグメントを用いるデジタル放送から、選局操作に基づいて設定された所定のチャンネルの放送信号を選局する第３の工程と、
第２の処理手段が、前記第２のチューナが選局した放送信号に復調及びデコード処理を施す第４の工程と、
前記選局操作によって前記第２のチューナに選局させるチャンネルが切り替えられたとき、その切り替えられたチャンネルの放送信号が前記複数の第１のチューナのいずれかによって選局されているか否かを判別する第５の工程と、
前記第５の工程で選局されていると判断されたとき、前記切り替えられたチャンネルの放送信号を選局している前記第１のチューナの出力に復調及びデコード処理を施している前記第１の処理手段の出力を選択して出力し、前記第２の処理手段による前記第２のチューナで選局された放送信号に対する復調及びデコード処理が終了したとき、前記第２の処理手段の出力を選択して出力するように切り替える第６の工程とを具備することを特徴とする放送受信方法。
【発明の詳細な説明】
【技術分野】
【０００１】
この発明は、例えばデジタルテレビジョン放送等の受信に好適する放送受信装置及び放送受信方法の改良に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
ところで、このデジタルテレビジョン放送では、その放送信号の復調処理及びデコード処理等に要する時間が、アナログテレビジョン放送信号に比べて長く掛かる。このため、デジタルテレビジョン放送を受信する受信装置としては、特にチャンネルが切り替えられてから映像及び音声等が得られるまでの時間を短縮することが強く要求されている。
【０００４】
特許文献１には、デジタル放送を受信する複数のチューナを備えておき、１つのチューナで選局したデジタル放送を視聴しているときに、過去のユーザチャンネル遷移履歴に基づいて、ユーザが次に移行する可能性の高いチャンネルを予想し、その予想したチャンネルを他のチューナに選局させておくようにした構成が開示されている。
【特許文献１】特開２００５−１３００８７号公報
【発明の開示】
【発明が解決しようとする課題】
【０００５】
そこで、この発明は上記事情を考慮してなされたもので、デジタル放送の受信時に、チャンネルが切り替えられてから映像や音声等が得られるまでの時間を、十分に実用的なレベルにまで短縮することができ、ユーザにとっての取り扱いを便利にし得るようにした放送受信装置及び放送受信方法を提供することを目的とする。
【課題を解決するための手段】
【０００６】
この発明に係る放送受信装置は、受信した１セグメント放送から、予め設定されたチューナ設定リストに基づいて、それぞれが所定のチャンネルの放送信号を選局する複数の第１のチューナと、複数の第１のチューナにそれぞれ対応して設けられ、第１のチューナが選局した放送信号に復調及びデコード処理を施す複数の第１の処理手段と、受信した複数セグメントを用いるデジタル放送から、選局操作に基づいて設定された所定のチャンネルの放送信号を選局する第２のチューナと、第２のチューナが選局した放送信号に復調及びデコード処理を施す第２の処理手段と、複数の第１の処理手段及び第２の処理手段からそれぞれ出力される放送データを選択的に出力する切替手段と、選局操作によって第２のチューナに選局させるチャンネルが切り替えられたとき、その切り替えられたチャンネルの放送信号が複数の第１のチューナのいずれかによって選局されているか否かを判別する判別手段と、判別手段で選局されていると判断されたとき、切り替えられたチャンネルの放送信号を選局している第１のチューナの出力に復調及びデコード処理を施している第１の処理手段の出力が選択されるように切替手段を制御し、第２の処理手段による第２のチューナで選局された放送信号に対する復調及びデコード処理が終了したとき、第２の処理手段の出力が選択されるように切替手段を制御する制御手段とを備えるようにしたものである。
【０００７】
また、この発明に係る放送受信方法は、複数の第１のチューナが、予め設定されたチューナ設定リストに基づいて、受信した１セグメント放送からそれぞれ所定のチャンネルの放送信号を選局する第１の工程と、複数の第１のチューナにそれぞれ対応して設けられた第１の処理手段が、第１のチューナが選局した放送信号に復調及びデコード処理を施す第２の工程と、第２のチューナが、受信した複数セグメントを用いるデジタル放送から、選局操作に基づいて設定された所定のチャンネルの放送信号を選局する第３の工程と、第２の処理手段が、第２のチューナが選局した放送信号に復調及びデコード処理を施す第４の工程と、選局操作によって第２のチューナに選局させるチャンネルが切り替えられたときに、その切り替えられたチャンネルの放送信号が複数の第１のチューナのいずれかによって選局されているか否かを判別する第５の工程と、第５の工程で選局されていると判断されたとき、切り替えられたチャンネルの放送信号を選局している第１のチューナの出力に復調及びデコード処理を施している第１の処理手段の出力を選択して出力し、第２の処理手段による第２のチューナで選局された放送信号に対する復調及びデコード処理が終了したとき、第２の処理手段の出力を選択して出力するように切り替える第６の工程とを備えるようにしたものである。
【発明の効果】
【０００８】
上記した発明によれば、第２のチューナに選局させるチャンネルが切り替えられたときに、その切り替えられたチャンネルの放送信号が複数の第１のチューナのいずれかによって選局されている場合、切り替えられたチャンネルの放送信号を選局している第１のチューナの出力に復調及びデコード処理を施している第１の処理手段の出力を選択し出力するように切り替え、第２の処理手段による第２のチューナで選局された放送信号に対する復調及びデコード処理が終了したとき、第２の処理手段の出力を選択して出力するように切り替えている。このため、デジタル放送の受信時に、チャンネルが切り替えられてから映像や音声等が得られるまでの時間を、十分に実用的なレベルにまで短縮することができ、ユーザにとっての取り扱いを便利にすることができるようになる。
【発明を実施するための最良の形態】
【０００９】
以下、この発明の実施の形態について図面を参照して詳細に説明する。図１は、この実施の形態で説明するデジタルテレビジョン放送受信装置１１を正面側から見た状態を示している。このデジタルテレビジョン放送受信装置１１は、主として、薄型のキャビネット１２と、このキャビネット１２を支持する支持台１３とから構成されている。
【００１０】
このうち、キャビネット１２には、その正面中央部に例えばＳＥＤ（surface-conduction electron-emitter display）等でなる平面型表示パネル１４が配置されている。また、このキャビネット１２には、その平面型表示パネル１４の両側に、スピーカ１５、操作部１６及びワイヤレスのリモートコントローラ１７から送出された操作情報を受信するための受信部１８等が配置されている。
【００１１】
一方、上記した支持台１３は、キャビネット１２の底面中央部に回動自在に連結されているものである。そして、この支持台１３は、例えばテレビ置き台等のような所定の基台１９の水平面上に載置されたときに、キャビネット１２を起立させた状態で安定に支持するように構成されている。
【００１２】
図２は、上記デジタルテレビジョン放送受信装置１１の信号処理系を概略的に示している。まず、このデジタルテレビジョン放送受信装置１１は、地上デジタル放送の技術規格であるＩＳＤＢ−Ｔ（integrated services digital broadcasting for terrestrial）方式に準拠した移動受信向けサービスである１セグメント放送（以下、ワンセグ放送という）を受信するワンセグ放送受信部２０を備えている。
【００１３】
このワンセグ放送受信部２０は、アンテナ２１を介してワンセグ放送を受信し、その放送内容を再生するものである。このワンセグ放送受信部２０は、複数（Ｎ個）のワンセグ放送用チューナ２２１，２２２，２２３，……，２２Ｎと、これらワンセグ放送用チューナ２２１〜２２Ｎそれぞれに対応して接続されるワンセグデータ処理部２３１，２３２，２３３，……，２３Ｎとから構成されている。
【００１４】
このうち、各ワンセグ放送用チューナ２２１〜２２Ｎは、それぞれ、アンテナ２１を介して受信したワンセグ放送から、制御部２４より出力されたチャンネル選局信号で指示されるチャンネルの放送信号を選局し、その選局したワンセグ放送信号を出力している。この場合、各ワンセグ放送用チューナ２２１〜２２Ｎは、それぞれ異なるチャンネルを選局することができる。
【００１５】
また、各ワンセグデータ処理部２３１〜２３Ｎは、それぞれ、対応して接続されたワンセグ放送用チューナ２２１〜２２Ｎから出力されるワンセグ放送信号に対して、例えばＯＦＤＭ（orthogonal frequency division multiplexing）復調処理及びデコード処理等の各種処理を施すことにより、映像及び音声を再生可能なワンセグ放送データを生成し、切替部２５に出力している。
【００１６】
また、上記デジタルテレビジョン放送受信装置１１は、例えば１２セグメントのように複数のセグメントを用いた固定受信向けサービスであるデジタル放送を受信するデジタル放送受信部２６を備えている。このデジタル放送受信部２６は、アンテナ２１を介して複数セグメントによるデジタル放送を受信し、その放送内容を再生するものである。
【００１７】
すなわち、このデジタル放送受信部２６は、デジタル放送用チューナ２７とデジタルデータ処理部２８とから構成されている。まず、デジタル放送用チューナ２７は、アンテナ２１を介して受信したデジタル放送から、制御部２４より出力されたチャンネル選局信号で指示されるチャンネルの放送信号を選局し、その選局したデジタル放送信号を出力している。
【００１８】
また、上記デジタルデータ処理部２８は、デジタル放送用チューナ２７から出力されたデジタル放送信号に対して、例えばＯＦＤＭ復調処理及びデコード処理等の各種処理を施すことにより、映像及び音声を再生可能なデジタル放送データを生成し、上記切替部２５に出力している。なお、デジタルデータ処理部２８は、上記の処理を終了すると、処理終了信号を制御部２４に出力する。
【００１９】
上記切替部２５は、各ワンセグデータ処理部２３１〜２３Ｎ及びデジタルデータ処理部２８からそれぞれ出力される放送データの中から、制御部２４より出力された切替信号で指示される１つの放送データを選択し、その選択された放送データの映像成分及び音声成分を映像処理部２９及び音声処理部３０にそれぞれ出力している。
【００２０】
このうち、映像処理部２９は、入力された放送データの映像成分に対して、上記平面型表示パネル１４で映像表示させるための所定の信号処理を施し、平面型表示パネル１４に映像表示させている。また、音声処理部３０は、入力された放送データの音声成分に対して、上記スピーカ１５で音声再生させるための所定の信号処理を施し、スピーカ１５で音声再生させている。
【００２１】
なお、上記制御部２４は、このデジタルテレビジョン放送受信装置１１における上記した各種の受信動作を含む種々の動作を統括的に制御している。この場合、制御部２４は、上記した操作部１６及びリモートコントローラ１７等を含む操作入力部３１からの操作情報を受けることにより、その操作内容が反映されるように各部をそれぞれ制御している。
【００２２】
図３は、上記切替部２５の一例を示している。すなわち、切替部２５は、データ選択部３２と出力制御部３３とを備えている。このうち、データ選択部３２は、各ワンセグデータ処理部２３１〜２３Ｎ及びデジタルデータ処理部２８から出力された放送データの中から、いずれか１つの放送データを選択して出力制御部３３に出力するものである。この選択は、上記制御部２４に設けられた切替制御部３４から出力される切替信号に基づいて行なわれる。また、上記出力制御部３３は、データ選択部３２から出力された放送データのうち、映像成分を映像処理部２９に出力し、音声成分を音声処理部３０に出力するように制御している。
【００２３】
図４は、上記制御部２４の一例を示している。この制御部２４は、上記した切替制御部３４に加えて、ワンセグチューナ制御部３５、デジタルチューナ制御部３６、チャンネル検索部３７、記憶部３８及び視聴番組予測部３９等を備えている。
【００２４】
このうち、チャンネル検索部３７は、操作入力部３１から出力された選局情報に基づいて、ユーザが指定した放送局が放送しているデジタル放送のチャンネルを検索する。この検索は、記憶部３８に格納されたチャンネル対応リスト４０を参照することによって行なわれる。チャンネル検索部３７は、検索結果をデジタルチューナ制御部３６及びワンセグチューナ制御部３５に出力する。
【００２５】
また、上記記憶部３８は、上記チャンネル対応リスト４０の他に、チューナ設定リスト４１を格納するとともに、ユーザの過去の視聴履歴を蓄積するための履歴蓄積部４２を備えている。チャンネル対応リスト４０は、各放送局で放送しているデジタル放送のチャンネルと、そのチャンネルの周波数とが対応して登録されている。チューナ設定リスト４１は、図５に示すように、各ワンセグ放送用チューナ２２１〜２２Ｎの機器識別番号（ＩＤ）と、それぞれのワンセグ放送用チューナ２２１〜２２Ｎに設定するチャンネル及びその周波数とが登録されている。
【００２６】
そして、デジタルチューナ制御部３６は、チャンネル検索部３７から出力された検索結果に基づいて、チャンネル選局信号をデジタル放送用チューナ２７に出力し、デジタル放送用チューナ２７に対して選局させるべきチャンネルの設定を実行する。
【００２７】
また、ワンセグチューナ制御部３５は、記憶部３８に格納されているチューナ設定リスト４１を参照し、それに基づいて各ワンセグ放送用チューナ２２１〜２２Ｎに対してそれぞれ選局させるべきチャンネルの設定を実行する。このような各ワンセグ放送用チューナ２２１〜２２Ｎに対するチャンネルの設定は、デジタルテレビジョン放送受信装置１１が起動される毎、または、ワンセグ放送の受信が要求されてワンセグチューナ制御部３５が駆動される毎に行なわれる。また、ワンセグチューナ制御部３５は、切替制御部３４からの停止命令に基づいて、各ワンセグ放送用チューナ２２１〜２２Ｎの選局動作を停止させることができる。
【００２８】
この切替制御部３４は、上記切替部２５に供給する切替信号を生成している。この切替制御部３４は、チャンネル検索部３７から出力される検索終了情報及びチャンネル情報、デジタルデータ処理部２８から出力される処理終了信号、チューナ設定リスト４１から出力されるチューナ情報等に基づいて、切替部２５の出力を切り替えるための切替信号を生成している。また、切替制御部３４は、切替信号を出力した後に、各ワンセグ放送用チューナ２２１〜２２Ｎの選局動作を停止させる停止命令を、ワンセグチューナ制御部３５に出力することもできる。
【００２９】
図６は、このデジタルテレビジョン放送受信装置１１における選局処理動作の一例をまとめたフローチャートを示している。すなわち、処理が開始（ステップＳ１）されると、ステップＳ２で、ユーザのチャンネル切替操作により、所望の放送局を示す選局情報が、操作入力部３１からチャンネル検索部３７に入力される。このチャンネル切替操作は、例えば、ユーザが視聴したい番組を放送している放送局のチャンネル番号を数字キー等の操作により入力すること、または、平面型表示パネル１４に表示された番組表画面等から所望の放送局のチャンネルを選択することにより行なわれる。
【００３０】
すると、選局情報を受け取ったチャンネル検索部３７は、ステップＳ３で、記憶部３８にアクセスし、入力された選局情報が示す放送局に対応するデジタル放送のチャンネルをチャンネル対応リスト４０から検索する。この検索が終了すると、チャンネル検索部３７は、検索結果をデジタルチューナ制御部３６及びワンセグチューナ制御部３５に出力するとともに、検索終了情報を切替制御部３４に出力する。
【００３１】
そして、チャンネル検索部３７からの検索結果を受け取ったデジタルチューナ制御部３６は、ステップＳ４で、チャンネル選局信号をデジタル放送用チューナ２７に出力する。これにより、デジタル放送用チューナ２７は、チャンネル検索部３７によって検索されたチャンネルに対応するデジタル放送信号の選局動作を実行する。
【００３２】
デジタル放送用チューナ２７は、指定されたチャンネルのデジタル放送信号を選局し、その選局されたデジタル放送信号をデジタルデータ処理部２８に出力する。すると、デジタルデータ処理部２８は、ステップＳ５で、デジタル放送用チューナ２７から受け取ったデジタル放送信号に対して、映像及び音声に再生可能なデジタル放送データに変換するための、ＯＦＤＭ復調処理及びデコード処理等の各種処理を開始する。
【００３３】
このようにデジタルデータ処理部２８の処理が開始された状態において、上記切替制御部３４は、ステップＳ６で、記憶部３８に格納されているチューナ設定リスト４１を参照して、各ワンセグ放送用チューナ２２１〜２２Ｎのチューナ情報、つまり、各ワンセグ放送用チューナ２２１〜２２Ｎが現在受信しているチャンネル情報を取得し、それらのチャンネル情報の中にチャンネル検索部３７から出力されたチャンネル情報が含まれているか否かを判別する。
【００３４】
そして、含まれていると判断された場合（ＹＥＳ）、切替制御部３４は、チャンネル検索部３７からの検索終了情報を受け取ると、ステップＳ７で、切替部２５のデータ選択部３２に切替信号を出力する。この切替信号は、各ワンセグデータ処理部２３１〜２３Ｎからそれぞれ出力されるワンセグ放送データのうち、先にステップＳ２でユーザが選局したチャンネルに対応するワンセグ放送データが選択出力されるように、データ選択部３２を制御するものである。これにより、デジタルデータ処理部２８から処理後のデジタル放送データが出力されるのに先立って、既に処理の終了している同じチャンネルのワンセグ放送データが出力され、ユーザの視聴に供されるようになる。
【００３５】
その後、デジタルデータ処理部２８でのデジタル放送データの処理が終了すると、処理後のデジタル放送データがデータ選択部３２に供給される。また、デジタル放送データの処理が終了すると、デジタルデータ処理部２８は、処理終了信号を切替制御部３４に出力するようになる。
【００３６】
このため、切替制御部３４は、ステップＳ８で、デジタルデータ処理部２８から処理終了信号が供給されたか否かを判別し、供給されたと判断された場合（ＹＥＳ）、デジタルデータ処理部２８における処理が終了したと判断し、ステップＳ９で、デジタルデータ処理部２８から出力されたデジタル放送データが選択出力されるようにデータ選択部３２を制御して、処理を終了（ステップＳ１０）する。
【００３７】
また、上記ステップＳ６で含まれていないと判断された場合（ＮＯ）、上記切替制御部３４は、ステップＳ９の処理に移行し、デジタルデータ処理部２８から出力されたデジタル放送データが選択出力されるようにデータ選択部３２を制御して、処理を終了（ステップＳ１０）する。
【００３８】
なお、図６に示したフローチャートは、デジタルテレビジョン放送受信装置１１が全てのワンセグ放送チャンネル数分だけ、ワンセグ放送用チューナ２２１〜２２Ｎを装備していない場合の処理動作を示している。ワンセグ放送チューナ２２１〜２２Ｎがワンセグ放送の全チャンネル数分だけ装備されている場合は、ステップＳ６の判定処理が省略され、ステップＳ５からステップＳ７に移行するフローチャートとなる。
【００３９】
すなわち、操作入力部３１を介してユーザがチャンネルを選局すると、切替制御部３４は、切替部２５のデータ選択部３２に対して、各ワンセグデータ処理部２３１〜２３Ｎから出力されるワンセグ放送データのうち、ユーザが選局したチャンネルに対応するワンセグ放送データを選択出力するように切替信号を出力する。以後、デジタルデータ処理部２８の処理が終了すると、ワンセグ放送データに代えてデジタル放送データが選択出力されるようにデータ選択部３２が制御される。
【００４０】
図７は、ワンセグ放送受信部２０の出力とデジタル放送受信部２７の出力とを、上記したように切り替えるための、切替部２５の切り替え動作タイミングを示している。まず、ユーザによるデジタル放送受信部２７のチャンネル選局操作が行なわれる時点（選局操作時点）Ｔ１より前において、ワンセグ放送受信部２０では、各ワンセグデータ処理部２３１〜２３Ｎからワンセグ放送データが出力されており、切替部２５で選択されればいつでも出力可能な状態となっている。また、デジタル放送受信部２６では、デジタルデータ処理部２８が他のチャンネルのデジタル放送データを処理して出力しており、このデジタル放送データが切替部２５で選択されて視聴に供されている。
【００４１】
そして、上記選局操作時点Ｔ１に達すると、デジタル放送受信部２６では、デジタルデータ処理部２８が新たに選局されたチャンネルのデジタル放送信号に対する処理を開始する。このとき、ワンセグ放送受信部２０から出力される各ワンセグ放送データのうち、新たに選局されたチャンネルに対応するワンセグ放送データが出力されるように切替部２５が切り替えられる。これにより、選局操作時点Ｔ１以後、デジタル放送データに代えてワンセグ放送データによる視聴が行なわれる。
【００４２】
その後、デジタルデータ処理部２８の処理が終了し、新たに選局されたチャンネルに対応したデジタル放送データを出力可能な時点（出力切替時点）Ｔ２に達すると、切替部２５が、デジタルデータ処理部２８から出力されるデジタル放送データを出力するように切り替えられる。これにより、出力切替時点Ｔ２以後、ワンセグ放送データに代えてデジタル放送データによる視聴が行なわれる。
【００４３】
次に、上記した視聴番組予測部３９について説明する。この視聴番組予測部３９は、ユーザが現在視聴しているチャンネルから、次に切り替える可能性の高いチャンネルを予測し、その予測結果であるチャンネル更新情報を記憶部３８のチューナ設定リスト４１に出力して更新している。これにより、ワンセグ放送受信部２０の各ワンセグ放送用チューナ２２１〜２２Ｎに、ユーザが次に切り替える可能性の高いチャンネルを予め選局させ、ワンセグデータ処理部２３１〜２３Ｎで処理させておくことができる。
【００４４】
この視聴番組予測部３９におけるチャンネル予測手段としては、例えば、操作入力部３１を介して入力されたユーザ識別情報及び時間情報と履歴蓄積部４２に蓄積された履歴情報とから、ユーザの嗜好に合わせた視聴チャンネルを予測するものが挙げられる（特開２００６−２５４０７６号公報参照)。また、この他にも、平面型表示パネル１４に表示された番組表画面等から放送局のチャンネルを選択する操作に基づいて次の視聴チャンネル番組を予測するもの、操作入力部３１が備えるチャンネルアップダウンキーの操作に基づいて次の視聴チャンネルを予測するもの、キーワードまたはジャンルの設定に基づいて次の視聴チャンネルを予測するもの等が考えられる。
【００４５】
図８及び図９は、上記視聴番組予測部３９がチューナ設定リスト４１の更新を行なう処理動作の一例をまとめたフローチャートを示している。すなわち、チューナ設定リスト４１を更新する処理が開始（ステップＳ１１）されると、視聴番組予測部３９は、ステップＳ１２で、このデジタルテレビジョン放送受信装置１１に接続されているワンセグ放送用チューナ２２１〜２２Ｎの数を取得する。
【００４６】
次に、視聴番組予測部３９は、ステップＳ１３で、選局操作が行なわれた時刻と入力されたユーザ識別情報とを取得し、ステップＳ１４で、履歴蓄積部４２からユーザの過去の視聴履歴情報を取得する。そして、視聴番組予測部３９は、ステップＳ１５で、視聴履歴情報に基づいてユーザの嗜好を調査し、ユーザが次に変更するチャンネルを予測する。
【００４７】
その後、視聴番組予測部３９は、ステップＳ１６で、例えば、履歴蓄積部４２から取得した視聴履歴情報に基づいて、選局操作が行なわれた時刻でユーザが変更する可能性の高いチャンネル順に優先度を設定し、その設定されたチャンネル順に応じてチューナ設定リスト４１を更新する。
【００４８】
なお、ユーザ識別情報としては、操作入力部３１でのキー操作により入力するだけでなく、例えば、操作入力部３１または平面型表示パネル１４に搭載されている画像認識センサーや指紋認証センサー等を用いて入力することもできるし、平面型表示パネル１４に表示されたユーザ識別用画面をタッチ操作して直接入力することもできる。また、携帯機器で撮影したユーザの顔画像情報を、赤外線、インターネットまたはBluetooth（登録商標）等の伝送手段を介してデジタルテレビジョン放送受信装置１１に送信し、デジタルテレビジョン放送受信装置１１が顔画像情報を解析してどのユーザかを認識させるようにすることもできる。
【００４９】
次に、ステップＳ１７で、ユーザが所望の放送局のチャンネルを選局する選局操作を実行する。この選局操作としては、例えば、ユーザが視聴したい番組を放送している放送局のチャンネル番号を操作入力部３１のキー操作により入力すること、または、平面型表示パネル１４に表示された番組表画面等から所望の放送局のチャンネルを選択すること等により行なわれる。そして、チューナ設定リスト４１を更新する方法は、それぞれの選局操作によって異なる。そこで、チューナ設定リスト４１には、どの選局操作方法でリストが更新されたのかを示す変数も格納されている。
【００５０】
まず、ステップＳ１７で平面型表示パネル１４に表示された番組表画面等から所望の放送局のチャンネルを選択する場合（Ｓ１７ａ）には、ステップＳ１８で、平面型表示パネル１４に番組表画面を表示させ、ステップＳ１９で、番組表画面上でのカーソルが置かれている位置を示す情報及びページの情報等を取得する。そして、ステップＳ２０で、先に取得したカーソルの位置情報及び番組表のページ情報からユーザが変更する可能性の高いチャンネルを予測し、各予測チャンネルに優先度を付ける。その後、ステップＳ２１で、その優先度情報に基づいてチューナ設定リスト４１を更新し、ステップＳ２２で、チャンネル選択の有無を判別し、有りの場合（ＹＥＳ）、ステップＳ１８の処理に戻され、無しの場合（ＮＯ）、ステップＳ１７の処理に戻される。
【００５１】
図１０は、平面型表示パネル１４に表示された番組表画面の一例を示している。今、Ｃ局の１つの番組にカーソルＫ（図ではハッチングで示す）が合わせられているとすると、カーソルＫが合わせられているチャンネル（Ｃ局）が最も優先度が高く、その両隣のチャンネル（Ｂ局、Ｄ局）が次に優先度が高く、さらにその隣のチャンネル（Ａ局、Ｅ局）はその次に優先度が高いというように優先度が付けられる。すなわち、カーソルＫの付されたチャンネルに近い位置に表示されているチャンネルほど優先度が高く、遠い位置に表示されているチャンネルほど優先度が低くなるように設定される。このように設定された優先度情報に基づいて、視聴番組予測部３９は、チューナ設定リスト４１を更新する。
【００５２】
また、ステップＳ１７で操作入力部３１に用意されたキーワードキーやジャンルキーを操作して所望の放送局のチャンネルを選択する場合（Ｓ１７ｂ）には、ステップＳ２３で、そのキーワードまたはジャンルに対応する番組を電子番組表から検索する。そして、ステップＳ２４で、検索したチャンネルからユーザが変更する可能性の高いチャンネルを予測し、各予測チャンネルに優先度を付け、ステップＳ２５で、その優先度情報に基づいてチューナ設定リスト４１を更新し、ステップＳ１７の処理に戻される。
【００５３】
ここで、検索結果が複数あった場合は、履歴蓄積部４２からユーザの視聴履歴情報を取得し、その情報に基づいて優先度付けを行ない、それに基づいてチューナ設定リスト４１の更新を行なうようにすることもできる。また、キーワードやジャンルは、平面型表示パネル１４に表示されたメニュー画面等から入力することもできる。さらに、設定可能なキーワードやジャンルは、ユーザが任意に入力することができるようにしてもよいものである。
【００５４】
また、ステップＳ１７で操作入力部３１に用意されたチャンネルアップダウンキーを操作して所望の放送局のチャンネルを選択する場合（Ｓ１７ｃ）には、ステップＳ２６で、ザッピングモードが有効であるか否かを判別し、ザッピングモードが有効でない場合（ＮＯ）、ステップＳ２７で、アップまたはダウン方向のどちら側にチャンネルを切り替えるのかを検知し、ステップＳ２８で、その検知結果に基づいてチューナ設定リスト４１を更新し、ステップＳ１７の処理に戻される。なお、上記ザッピングモードは、平面型表示パネル１４に表示されたメニュー画面から、または、操作入力部３１に用意されたザッピングモード設定キーを操作することにより設定される。
【００５５】
図１１及び図１２は、チャンネルアップダウンキーを用いてチャンネルを切り替えたときのチューナ設定リスト４１の更新の一例を示している。図１１及び図１２では、ワンセグ放送用チューナ２２１〜２２Ｎの台数を５台としている。そして、図１１では、そのチャンネル及び周波数の列に対して、操作入力部３１に用意されたチャンネルアップダウンキーを操作したときの昇順または降順の並びになるように、チャンネル情報が格納されている。
【００５６】
このような状態で、図１２に示すように、チャンネルアップダウンキーが操作された場合、現在視聴中のチャンネルを中心にしてチャンネルアップ方向及びダウン方向に同程度に優先度が振り分けられるように、チューナ設定リスト４１を更新する。例えば、図１１にハッチングで示すように２５チャンネルが選局されている状態で、チャンネルダウンキーが操作されて、図１２にハッチングで示すように２４チャンネルが選局された場合、このチャンネル切替方向とは逆のチャンネルアップ方向にあるチャンネル（２７チャンネル）をリストから削除し、チャンネルダウン方向の新たなチャンネル（２３チャンネル）をリストに追加するように、視聴番組予測部３９からチューナ設定リスト４１に更新情報が出力される。そして、チューナ設定リスト４１は、その更新情報に基づいて更新される。
【００５７】
また、ステップＳ１７で操作入力部３１に用意されたザッピングボタンを操作して所望の放送局のチャンネルを選択する場合（Ｓ１７ｄ）、または、上記ステップＳ２６でザッピングモードが有効である場合（ＹＥＳ）には、ステップＳ２９で、チューナ設定リスト４１で最も優先度が高く設定されている、つまり、ワンセグ放送用チューナで既に選局が行なわれているチャンネルに切り替え、チャンネル切替前にチューナ設定リスト４１がどの方法で更新されたかをチェックし、ステップＳ３０で、前回の更新方法と同様の方法でチューナ設定リスト４１を更新する。ここで、ステップＳ２９の処理では、最も優先度の高いチャンネルが選択されたので、前回の設定では選ばれなかったチャンネルを新たにチューナ設定リスト４１に設定する。また、このとき、切替前のチャンネルも、同時にチューナ設定リスト４１に追加してもよいものである。
【００５８】
また、ステップＳ１７で操作入力部３１に用意されたチャンネルキーを操作して所望の放送局のチャンネルを選択する場合（Ｓ１７ｅ）には、ステップＳ３１で、操作されたチャンネルキーに対応するチャンネルの選局を実行する。そして、ステップＳ３２で、選局操作を行なった時刻とユーザ識別情報とに基づいて、履歴蓄積部４２からユーザの過去の視聴履歴情報を取得する。そして、ステップＳ３３で、履歴蓄積部４２から取得した情報に基づいて、ユーザの嗜好を調査し、ユーザが次に変更するチャンネルを予測する。その後、ステップＳ３４で、例えば、履歴蓄積部４２から取得した視聴履歴情報に基づいて、選局操作が行なわれた時刻でユーザが変更する可能性の高いチャンネル順に優先度を設定し、その設定されたチャンネル順に応じてチューナ設定リスト４１を更新し、ステップＳ１７の処理に戻される。
【００５９】
図８及び図９に示した一連の処理動作は、例えば、操作入力部３１を操作した場合や、デジタルテレビジョン放送受信装置１１が起動した場合に開始されるようにすることができる。また、操作入力部３１や平面型表示パネル１４等に人が近づいたことを感知するセンサーを搭載し、そのセンサーから出力される信号に基づいて、予測動作を開始させることもできる。
【００６０】
さらに、上記したチャンネルの予測処理に基づいてチューナ設定リスト４２が更新された後に、ワンセグ放送受信部２０が選局を行なっているチャンネルを、ユーザに知らせる機能を搭載することができる。例えば、操作入力部３１に用意されたチャンネルキーにＬＥＤ（light emitting diode）を埋設し、選局しているチャンネルに対応するキーのＬＥＤを発光させたり、平面型表示パネル１４に選局しているチャンネルを表示させたりすることができる。
【００６１】
図１３は、上記したデジタルテレビジョン放送受信装置１１の変形例を示している。図１３において、図２と同一部分には同一符号を付して説明すると、デジタル放送受信部２６において、デジタル放送用チューナ２７とデジタルデータ処理部２８との間に、遅延手段としてのバッファ４３が介挿接続されている。なお、バッファ４３としては、例えばメモリやレジスタ等の記憶装置で構成される。
【００６２】
すなわち、ワンセグ放送信号の復調及びデコード処理に要する時間は、デジタル放送信号の復調及びデコード処理に要する時間よりも長くかかる。このため、ワンセグ放送信号とデジタル放送信号とに同時に復調及びデコード処理を施した場合、ワンセグ放送の映像は、デジタル放送の映像よりも遅れて表示される。したがって、このデジタルテレビジョン放送受信装置１１において、デジタル放送信号に対する復調及びデコード処理が終了して映像表示可能になった直後に、ワンセグ放送の出力からデジタル放送の出力に切り替えると、ワンセグ放送の内容よりも後の放送内容が表示される。すなわち、切り替えることによって、内容が飛んで不連続なものとなる。
【００６３】
そこで、図１３に示したように、デジタル放送用チューナ２７の後にバッファ４３を接続し、デジタル放送信号を遅延させて、デジタル放送をワンセグ放送に同期させることにより、ワンセグ放送からデジタル放送に切り替えたときの映像の連結をスムーズにすることができる。このため、バッファ４３としては、ワンセグ放送信号の処理に要する時間からデジタル放送信号の処理に要する時間を差し引いた時間だけ、デジタル放送信号を遅らせるように設定される。
【００６４】
図１４は、上記したデジタルテレビジョン放送受信装置１１のさらに他の変形例を示している。図１４において、図４と同一部分には同一符号を付して説明すると、デジタル放送受信部２６が、複数（Ｎ個）のデジタル放送用チューナ２７１，２７２，……，２７Ｎと、これらデジタル放送用チューナ２７１〜２７Ｎそれぞれに対応して接続されるデジタルデータ処理部２８１，２８２，……，２８Ｎとを備えている。
【００６５】
この場合、優先度の高いチャンネルがデジタル放送用チューナ２７１〜２７Ｎに割り振られるようにチューナ設定リスト４１が更新される。また、ワンセグ用及びデジタル用を含めて、チャンネルがどのチューナ２２１〜２２Ｎ，２７１〜２７Ｎに割り振られたのかを示す変数も、チューナ設定リスト４２に格納される。
【００６６】
なお、ワンセグ放送用チューナ２２１〜２２Ｎとデジタル放送用チューナ２７１〜２７Ｎとを混在させる構成の他に、全てのチューナをデジタル放送用チューナ２７１〜２７Ｎにする構成も考えられる。
【００６７】
図１５は、複数のワンセグ放送用チューナ２２１〜２２Ｎと複数のデジタル放送用チューナ２７１〜２７Ｎとが混在している場合における選局処理動作の一例をまとめたフローチャートを示している。すなわち、処理が開始（ステップＳ３５）されると、ステップＳ３６で、ユーザのチャンネル切替操作により、所望の放送局を示す選局情報が、操作入力部３１からチャンネル検索部３７に入力される。このチャンネル切替操作は、例えば、ユーザが視聴したい番組を放送している放送局のチャンネル番号を数字キー等の操作により入力すること、または、平面型表示パネル１４に表示された番組表画面等から所望の放送局のチャンネルを選択することにより行なわれる。
【００６８】
その後、上記切替制御部３４は、ステップＳ３７で、記憶部３８に格納されているチューナ設定リスト４１を参照して、各デジタル放送用チューナ２７１〜２７Ｎのチューナ情報、つまり、各デジタル放送用チューナ２７１〜２７Ｎが現在受信しているチャンネル情報を取得し、それらのチャンネル情報の中にチャンネル検索部３７から出力されたチャンネル情報が含まれているか否かを判別する。
【００６９】
そして、含まれていないと判断された場合（ＮＯ）、選局情報を受け取ったチャンネル検索部３７は、ステップＳ３８で、記憶部３８にアクセスし、入力された選局情報が示す放送局に対応するデジタル放送のチャンネルをチャンネル対応リスト４０から検索する。この検索が終了すると、チャンネル検索部３７は、検索結果をデジタルチューナ制御部３６及びワンセグチューナ制御部３５に出力するとともに、検索終了情報を切替制御部３４に出力する。
【００７０】
その後、チャンネル検索部３７からの検索結果を受け取ったデジタルチューナ制御部３６は、ステップＳ３９で、チャンネル選局信号を暫定的にメインチューナとして設定されているデジタル放送用チューナ２７１に出力する。これにより、デジタル放送用チューナ２７１は、チャンネル検索部３７によって検索されたチャンネルに対応するデジタル放送信号の選局動作を実行する。
【００７１】
デジタル放送用チューナ２７１は、指定されたチャンネルのデジタル放送信号を選局して、その選局されたデジタル放送信号をデジタルデータ処理部２８１に出力する。これにより、デジタルデータ処理部２８１は、ステップＳ４０で、デジタル放送用チューナ２７１から受け取ったデジタル放送信号に対して、映像及び音声に再生可能なデジタル放送データに変換するための、ＯＦＤＭ復調処理及びデコード処理等の各種処理を開始する。
【００７２】
このようにデジタルデータ処理部２８１の処理が開始された状態において、上記切替制御部３４は、ステップＳ４１で、記憶部３８に格納されているチューナ設定リスト４１を参照して、各ワンセグ放送用チューナ２２１〜２２Ｎのチューナ情報、つまり、各ワンセグ放送用チューナ２２１〜２２Ｎが現在受信しているチャンネル情報を取得し、それらのチャンネル情報の中にチャンネル検索部３７から出力されたチャンネル情報が含まれているか否かを判別する。
【００７３】
そして、含まれていると判断された場合（ＹＥＳ）、切替制御部３４は、チャンネル検索部３７からの検索終了情報を受け取ると、ステップＳ４２で、切替部２５のデータ選択部３２に切替信号を出力する。この切替信号は、各ワンセグデータ処理部２３１〜２３Ｎからそれぞれ出力されるワンセグ放送データのうち、先にステップＳ３６でユーザが選局したチャンネルに対応するワンセグ放送データが選択出力されるように、データ選択部３２を制御するものである。これにより、デジタルデータ処理部２８１から処理後のデジタル放送データが出力されるのに先立って、既に処理の終了している同じチャンネルのワンセグ放送データが出力され、ユーザの視聴に供されるようになる。
【００７４】
その後、デジタルデータ処理部２８１でのデジタル放送データの処理が終了すると、処理後のデジタル放送データがデータ選択部３２に供給される。また、デジタル放送データの処理が終了すると、デジタルデータ処理部２８１は、処理終了信号を切替制御部３４に出力するようになる。
【００７５】
このため、切替制御部３４は、ステップＳ４３で、デジタルデータ処理部２８１から処理終了信号が供給されたか否かを判別し、供給されたと判断された場合（ＹＥＳ）、デジタルデータ処理部２８１における処理が終了したと判断し、ステップＳ４４で、デジタルデータ処理部２８１から出力されたデジタル放送データが選択出力されるようにデータ選択部３２を制御して、処理を終了（ステップＳ４７）する。
【００７６】
また、上記ステップＳ４１で含まれていないと判断された場合（ＮＯ）、上記切替制御部３４は、ステップＳ４４の処理に移行し、デジタルデータ処理部２８１から出力されたデジタル放送データが選択出力されるようにデータ選択部３２を制御して、処理を終了（ステップＳ４７）する。
【００７７】
さらに、上記ステップＳ３７で含まれていると判断された場合（ＹＥＳ）、切替制御部３４は、ステップＳ４５で、各デジタルデータ処理部２８１〜２８Ｎから出力されているデジタル放送信号のうち、先にステップＳ３６でユーザが選局したチャンネルに対応するデジタル放送データが選択出力されるようにデータ選択部３２を制御する。その後、ステップＳ４６で、メインチューナを変更して、処理を終了（ステップＳ４７）する。
【００７８】
ここで、上記制御部２４や切替部２５等の処理は、複数のＣＰＵ（central processing unit）を用いてソフトウエアで実行することができる。また、ワンセグデータ処理部２３１〜２３Ｎ及びデジタルデータ処理部２８，２８１〜２８Ｎ等の処理も、複数のＣＰＵを用いてソフトウエアで実行することができる。このような構成にして、各チューナ２２１〜２２Ｎ，２７，２７１〜２７Ｎから得られる放送信号を時分割に処理することにより、ハードウエア資源を節約することができる。
【００７９】
さらに、デジタル放送用チューナ２７，２７１〜２７Ｎ及びワンセグ放送用チューナ２２１〜２２Ｎ等は、デジタルテレビジョン放送受信装置１１に内蔵されているものばかりでなく、外部装置としてインターネットまたは各種通信ケーブル等を介して接続されているものであっても良いことはもちろんである。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、デジタルテレビジョン放送受信装置の外観を説明するために示す正面図。
【図２】同実施の形態におけるデジタルテレビジョン放送受信装置の信号処理系を説明するために示すブロック構成図。
【図３】同実施の形態におけるデジタルテレビジョン放送受信装置の切替部の一例を説明するために示すブロック構成図。
【図４】同実施の形態におけるデジタルテレビジョン放送受信装置の制御部の一例を説明するために示すブロック構成図。
【図５】同実施の形態におけるデジタルテレビジョン放送受信装置の記憶部に格納されたチューナ設定リストを説明するために示す図。
【図６】同実施の形態におけるデジタルテレビジョン放送受信装置が行なう選局処理動作の一例を説明するために示すフローチャート。
【図７】同実施の形態におけるデジタルテレビジョン放送受信装置が行なう選局処理の切り替え動作タイミングを説明するために示す図。
【図８】同実施の形態におけるデジタルテレビジョン放送受信装置が行なうチューナ設定リストの更新処理動作の一部を説明するために示すフローチャート。
【図９】同実施の形態におけるデジタルテレビジョン放送受信装置が行なうチューナ設定リストの更新処理動作の残部を説明するために示すフローチャート。
【図１０】同実施の形態におけるデジタルテレビジョン放送受信装置で表示される番組表画面の一例を説明するために示す図。
【図１１】同実施の形態におけるデジタルテレビジョン放送受信装置が格納するチューナ設定リストの更新前の状態を説明するために示す図。
【図１２】同実施の形態におけるデジタルテレビジョン放送受信装置が格納するチューナ設定リストの更新後の状態を説明するために示す図。
【図１３】同実施の形態におけるデジタルテレビジョン放送受信装置の変形例を説明するために示すブロック構成図。
【図１４】同実施の形態におけるデジタルテレビジョン放送受信装置のさらに他の変形例を説明するために示すブロック構成図。
【図１５】同実施の形態におけるデジタルテレビジョン放送受信装置のさらに他の変形例で行なわれる選局処理動作の一例を説明するために示すフローチャート。
【符号の説明】
【００８２】
１１…デジタルテレビジョン放送受信装置、１２…キャビネット、１３…支持台、１４…平面型表示パネル、１５…スピーカ、１６…操作部、１７…リモートコントローラ、１８…受信部、１９…基台、２０…ワンセグ放送受信部、２１…アンテナ、２２１〜２２Ｎ…ワンセグ放送用チューナ、２３１〜２３Ｎ…ワンセグデータ処理部、２４…制御部、２５…切替部、２６…デジタル放送受信部、２７…デジタル放送用チューナ、２７１〜２７Ｎ…デジタル放送用チューナ、２８…デジタルデータ処理部、２８１〜２８Ｎ…デジタルデータ処理部、２９…映像処理部、３０…音声処理部、３１…操作入力部、３２…データ選択部、３３…出力制御部、３４…切替制御部、３５…ワンセグチューナ制御部、３６…デジタルチューナ制御部、３７…チャンネル検索部、３８…記憶部、３９…視聴番組予測部、４０…チャンネル対応リスト、４１…チューナ設定リスト、４２…履歴蓄積部、４３…バッファ。
【図１】
2009016933.tif 000003
【図２】
2009016933.tif 000004
【図３】
2009016933.tif 000005
【図４】
2009016933.tif 000006
【図５】
2009016933.tif 000007
【図６】
2009016933.tif 000008
【図７】
2009016933.tif 000009
【図８】
2009016933.tif 000010
【図９】
2009016933.tif 000011
【図１０】
2009016933.tif 000012
【図１１】
2009016933.tif 000013
【図１２】
2009016933.tif 000014
【図１３】
2009016933.tif 000015
【図１４】
2009016933.tif 000016
【図１５】
2009016933.tif 000017